(57)【要約】【課題】  鮮明な白色を呈する高い明度色の地に鮮明な抜き表示部が表出された高明度表示物を提供する。【解決手段】  透光性を有する基材シート１１に、抜き表示部５を除いて白色着色層１２を積層する。白色着色層１２の裏側には遮光層となるグレー層１３ａを積層し、グレー層１３ｂの裏側には遮光層となる黒色層１３ｂを積層する。抜き表示部５の周縁では抜き表示部５を囲み、グレー層１３ａの輪郭線の方を、白色着色層１２の輪郭線より外側にする。黒色層１３ｂの輪郭線の方を、グレー層１３ａの輪郭線より外側にする。スクリーン印刷で印刷する。【選択図】  図１
2005235415.tif 000002
【特許請求の範囲】
【請求項１】
透光性を有する基材に抜き表示部範囲が定められ、抜き表示部を除いて高明度着色層が少なくとも１層積層され、
前記抜き表示部を裏面側からの光が透過することにより、表面側からその抜き表示部が視認される高明度着色表示物であって、
遮光と裏映り防止を兼ねた低明度着色層が前記高明度着色層の裏側に積層され、
抜き表示部周縁ではその抜き表示部を囲み、低明度着色層の輪郭線の方が、高明度着色層の輪郭線より外側になっていることを特徴とする抜き表示部を備えた高明度表示物。
【請求項２】
前記高明度着色層は、実質的に白色であることを特徴とする請求項１に記載の高明度表示物。
【請求項３】
前記高明度着色層は、第一の高明度色層と第二の高明度色層の少なくとも二層あり、実質的に色相が共通し、
第一の高明度色層は、基材の裏側に接し、隠蔽性の高明度顔料が含まれており、第二の高明度色層は第一の高明度色層の更に裏側にあり、
前記抜き表示部周縁ではその抜き表示部を囲み、第二の高明度色層の輪郭線の方が、第一の高明度色層の輪郭線より外側になっていることを特徴とする請求項１又は２記載の高明度表示物。
【請求項４】
前記低明度着色層は、第一の低明度色層と第二の低明度色層の少なくとも二層あり、実質的に色相が共通し、
第一の低明度色層は高明度着色層の裏側に接し、第二の低明度色層は、第一の低明度色層の更に裏側にあり、第一の低明度色層より明度が更に低く、
前記抜き表示部周縁ではその抜き表示部を囲み、第二の低明度色層の輪郭線の方が、第一の低明度色層の輪郭線より外側になっていることを特徴とする請求項１乃至３のいずれか一つに記載の高明度表示物。
【請求項５】
前記高明度着色層は、第一の高明度色層と第二の高明度色層の少なくとも二層あり、実質的に色相が共通し、
第一の高明度色層は、基材の裏側に接し、遮光性顔料を含んでおり、第二の高明度色層は第一の高明度色層の更に裏側にあり、
低明度着色層は、第一の低明度色層と第二の低明度色層の少なくとも二層あり、実質的に色相が共通し、
第一の低明度色層は、第二の高明度色層の裏側に接し、第二の低明度色層は、第一の低明度色層の更に裏側にあり、第一の低明度色層より明度が更に低く、
前記抜き表示部周縁ではその抜き表示部を囲み、第二の高明度色層の輪郭線の方が、第一の高明度色層の輪郭線より外側にし、第一の低明度色層は、第一の高明度色層の輪郭線より外側にし、かつ、第二の高明度色層の輪郭線より内側にしており、第二の低明度色層の輪郭線は、第一の低明度色層の輪郭線より後退していることを特徴とする請求項１又は２に記載の高明度表示物。
【請求項６】
前記第一の低明度色層は実質的に色がグレー、第二の低明度色層は実質的に黒であることを特徴とする請求項４又は５に記載の高明度表示物。
【請求項７】
前記した遮光性の高明度顔料は、パールマイカであることを特徴とする請求項３乃至６のいずれか一つに記載の高明度表示物。
【請求項８】
前記第一の低明度色層は、パントン７５４３Ｃ以上の明度に調色してあることを特徴とする請求項４乃至７のいずれか一つに記載の高明度表示物。
【請求項９】
前記第二の低明度色層は、カーボンインクで調色してあることを特徴とする請求項４乃至８のいずれか一つに記載の高明度表示物。
【請求項１０】
前記請求項１乃至９のいずれか一つに記載の高明度表示物で形成してあり、基材は、透明シートで形成してあってかつ絞り加工され、又は、基材は、透明樹脂性の板片で形成してありかつ高明度色層はシート裏面に積層されていることを特徴とする押釦スイッチ用カバー部材。
【発明の詳細な説明】
【技術分野】
【０００１】
この発明は、高明度の地に、文字や記号等の抜き表示部が形成された高明度表示物及びそれを用いた押釦スイッチ用カバー部材に関するものである。
【背景技術】
【０００２】
一般に、携帯電話等に用いられる押釦スイッチ用カバー部材には多数のキートップが設けられ、キートップには着色地に文字や記号等の抜き表示部が形成されることがある。このような抜き表示部は、そのままでも装飾性が高いが、例えばバックライト等により押釦スイッチ用カバー部材の裏面側から照光して抜き表示部を表面側に浮き出して表示することにより、更に装飾性や機能性を向上することができる。
【０００３】
このような抜き表示部を備えたものとして、例えば、透光性プラスチック成形体とこれに積層された着色透光性塗膜及び光隠蔽性塗膜とを備え、光隠蔽性塗膜がレーザーマーカーにより部分的に取り除かれて抜き表示部が形成された透光性標示物が知られている（特許文献１）。
【０００４】
第一の透光性基材と、抜き表示部のある第一の着色層と、透光性の第二の着色層と、第二の透光性基材と、がこの順に積層されているプレフォーム用インサートシートが知られている（特許文献２）。
【特許文献１】特開平３−１１６０８５号公報
【特許文献２】特開平６−１８２８１０号公報
【発明の開示】
【発明が解決しようとする課題】
【０００５】
ところで、表示体には、透明な基材に高い明度例えば白色の地が施され、部分的に抜き表示部が形成されたものも知られている。透光性の抜き表示部を備えている場合、特定の輪郭形状の抜き表示部範囲だけが光を透過し、抜き表示部以外の部分で光が透過しては好ましくない。そこで、特に白色地の抜き表示部の形成には工夫が図られている。
【０００６】
白色地表示体の場合、黒色のカーボンなどが含まれた塗膜層や金属薄膜層を白色地の下層に設ける。カーボンなどが含まれた膜や金属薄膜層を白色地の下層に設けると、白色地は事実上の半透明でもカーボンなどが含まれた膜や金属薄膜層を通過しようとする光は、そこで遮光できる。抜き表示部の形成は、例えばＹＡＧレーザで照射して行う。カーボンや金属は、ＹＡＧレーザを照射すると光エネルギーを吸収して消失する。その際、カーボンや金属は、接着していた上層の白色顔料などを道連れにする。白色顔料が一緒に消失すると、ＹＡＧレーザを照射した部分だけが抜き表示部となって現れる。
【０００７】
カーボンを下層とし、その上に白色顔料を含む白色地が上層として形成されている場合、下地の黒色が透けて見える。通常、白色顔料は遮光性が弱いからである。結局、鮮やかな白色地は表現しにくく、白色地デザイン表示体の場合、設計時に期待されていた外観とは趣が変わってしまうという欠点があった。金属薄膜を下層に設けると透けて見えることは少ないが、金属薄膜を設ける方法はコスト的に割高になるという欠点がある。
【０００８】
そこで、この発明は、鮮明な高い明度の地に鮮明な抜き表示部を表出できる高明度表示物を提供することを第一の目的とする。とりわけ、事実上鮮明な白色を呈する高い明度色の地に、鮮明な抜き表示部を表出できる高明度表示物を提供することを第二の目的とする。そのような高明度表示物で形成された押釦スイッチカバー部材を提供することを第三の目的とする。
【課題を解決するための手段】
【０００９】
上記第一の目的を達成するため、請求項１に記載の発明は、透光性を有する基材に抜き表示部範囲が定められ、抜き表示部を除いて高明度着色層が少なくとも１層積層され、前記抜き表示部を裏面側からの光が透過することにより、表面側からその抜き表示部が視認される高明度着色表示物であって、遮光と裏映り防止とを兼ねた低明度着色層が前記高明度着色層の裏側に積層され、抜き表示部周縁ではその抜き表示部を囲み、低明度着色層の輪郭線の方が、高明度着色層の輪郭線より後退していることを特徴とする抜き表示部を備えた高明度表示物である。
【００１０】
請求項１に記載の発明は、遮光・裏映り防止層が高明度着色層の裏側にあるため、裏側からバックライトなどで照光し、表面側から高明度着色層を視認した場合、裏側から照光した光は低明度着色層が持つ遮光機能により遮光される。加えて、低明度着色層が持つ裏映り防止層の裏映り防止機能により、高明度着色層の裏側が裏映りすることもほとんどない。抜き表示部周縁では、裏側の低明度着色層の輪郭線の方が内側になっているから、表面側から高明度着色層を視認した場合、裏側の低明度着色層が抜き表示部から覗き見えることもない。抜き表示部周縁の外観が損なわれることがない。
【００１１】
上記第二の目的を達成するため、請求項２に記載の発明は、請求項１記載の発明に加え、前記高明度着色層は、実質的に白色である。
【００１２】
請求項２に記載の発明は、高明度着色層が実質的に白色であるから、高明度着色層は白色を表示する。
【００１３】
上記第一の目的又は第二の目的を達成するため、請求項３乃至９までの発明は以下の通りとした。
【００１４】
請求項３に記載の発明は、請求項１又は２に記載の発明に加え、前記高明度色層は、第一の高明度色層と第二の高明度色層の少なくとも二層あり、実質的に色相が共通し、第一の高明度色層は、基材の裏面側に接し、遮光性の高明度顔料が含まれており、第二の高明度色層は第一の高明度色層の更に裏面側にあり、抜き表示部周縁ではその抜き表示部を囲み、第二の高明度色層の輪郭線の方が、第一の高明度色層の輪郭線より内側になっている。
【００１５】
請求項３に記載の発明は、遮光性の高明度顔料を含む第一の高明度色層と、含まない第二の高明度層と、を有する。両者は、実質的に色相が共通するから、共通の色相の範囲内で、第一の高明度色層と第二の高明度色層が素材上持っている相手の短所を互いの長所で補完し合う。抜き表示部から、第二の高明度色層が覗き見えることもない。
【００１６】
請求項４に記載の発明は、請求項１乃至３のいずれかに記載の発明に加え、前記低明度着色層は、第一の低明度色層と第二の低明度色層の少なくとも二層あり、実質的に色相が共通し、第一の低明度色層は高明度着色層の裏側に接し、第二の低明度色層は、第一の低明度色層の更に裏側にあり、第一の低明度色層より明度が更に低く、抜き表示部周縁ではその抜き表示部を囲み、第二の低明度色層の輪郭線の方が、第一の低明度色層の輪郭線より外側になっている。
【００１７】
請求項４記載の発明の場合、低明度着色層に、第一の低明度色層と第二の低明度色層との少なくとも二層が設けられ、両者は明度が異なる。明度がより低い方の第二の低明度色層は第一の低明度色層の裏側にあるから、第二の低明度色層が、明度で高明度色層に影響を及ぼすことはほとんどない。裏側から照光された光は第二の低明度色層で遮光される。第一の低明度色層と第二の低明度色層は、実質的に色相が共通するから、共通の色相の範囲内で、第一の低明度色層と第二の低明度色層が素材上持っている相手の短所を互いの長所で補完し合う。
【００１８】
請求項５に記載の発明は、請求項１又は２に記載の発明に加え、前記高明度着色層は、第一の高明度色層と第二の高明度色層の少なくとも二層あり、実質的に色相が共通し、第一の高明度色層は、基材の裏側に接し、隠蔽性顔料を含んでおり、第二の高明度色層は第一の高明度色層の更に裏側にあり、低明度着色層は、第一の低明度色層と第二の低明度色層の少なくとも二層あり、実質的に色相が共通し、第一の低明度色層は、第二の高明度色層の裏側に接し、第二の低明度色層は、第一の低明度色層の更に裏側にあり、第一の低明度色層より明度が更に低く、抜き表示部周縁ではその抜き表示部を囲み、第二の高明度色層の輪郭線の方が、第一の高明度色層の輪郭線より外側にし、第一の低明度色層は、第一の高明度色層の輪郭線より内側になり、かつ、第二の高明度色層の輪郭線より外側になっており、第二の低明度色層の輪郭線は、第一の低明度色層の輪郭線より内側になっている。
【００１９】
請求項５記載の発明は、請求項３記載の発明の作用と請求項４記載の発明の作用とを併せ持つ。
【００２０】
請求項６に記載の発明は、請求項４又は５に記載の発明に加え、前記第一の低明度色層は実質的に色がグレー、第二の低明度色層は実質的に黒である。
【００２１】
請求項６記載の発明の場合、高明度着色層に直接接している第一の低明度色層は、実質的に色がグレーであるから光反射性を併せ持ち、高明度着色層の色彩に影響を与えない。色相を変えることもない。
【００２２】
請求項７に記載の発明は、請求項３乃至６のいずれか一つに記載の発明に加え、前記した遮光性の高明度顔料は、パールマイカである。
【００２３】
請求項７記載の発明は、高明度顔料がパールマイカであることから、白色光を効果的に反射し、層中を光が透過することもきわめて少ない。
【００２４】
請求項８に記載の発明は、請求項４乃至７のいずれか一つに記載の発明に加え、前記第一の低明度色層は、パントン７５４３Ｃ以上の明度に調色してある。
【００２５】
請求項８記載の発明は、第一の低明度色層に関し、高明度色層よりは明度が低く、かつパントン７５４３Ｃ以上の明度を有することから効果的に機能する。表面側から高明度色層を通過した光は第二の低明度色層に伝わる前に第一の低明度色層で反射される。バックライトなどで裏面から照射された光で、第一の低明度色層が遮光しきれなかった光は、第二の低明度色層で遮光され、高明度色層に伝搬しない。
【００２６】
請求項９に記載の発明は、請求項６に記載の発明に加え、前記第二の低明度色層は、カーボンインクで調色してある。
【００２７】
請求項９記載の発明の場合、第二の低明度色層はカーボンインクで調色してあるから、第二の低明度色層は遮光性に優れる。
【００２８】
上記第三の目的を達成するため、請求項１０に記載の発明は、前記請求項１乃至９のいずれか一つに記載の高明度表示物で形成してあってかつ絞り加工され、又は、基材は、透明樹脂性の板片で形成してあり、かつ高明度色層はシート裏面に積層されていることを特徴とする押釦スイッチ用カバー部材である。
【００２９】
請求項１０に記載の発明では、前記請求項１乃至９のいずれか一つに記載の高明度表示物で形成してあり、そのうち、基材は透明樹脂板で形成してあって絞り加工され、高明度色層は透明樹脂板の裏面に積層されていることを特徴とする押釦スイッチ用カバー部材である。
【発明の効果】
【００３０】
請求項１乃至９に記載の発明では、上記のような構成でなるから、鮮明な高い明度色の地に鮮明な抜き表示部を表出できる高明度表示物が得られる。遮光材に金属材を用いる必要がなく、金属材を使用しなければさらに安価に形成できる。
【００３１】
請求項２に記載の発明では、事実上白色を呈する高い明度色の地に鮮明な抜き表示部を表出できる高明度表示物が得られる。
【００３２】
請求項１０に記載の発明では、上記のような効果のある押釦スイッチ用カバー部材が得られる。
【発明を実施するための最良の形態】
【００３３】
以下、この発明の実施の一形態について説明する。
【００３４】
図１は、白色表示物で形成された照光式の押釦スイッチ用カバー部材について、そのキートップ部を断面で示す図である。
【００３５】
照光式の押釦スイッチ用カバー部材１は、通常、多数のキートップ２が設けられる。そのような押釦スイッチ用カバー部材１は例えば積層体シート３で形成され、その積層体シート３が例えば絞り加工され、キートップ２は表面側に突出部が突き出された形で設けられる。突出部の裏側には透明な硬質樹脂充填物４が充填される。キートップ２の天面部では、積層体シート３に抜き表示部５が形成される。各キートップ２の抜き表示部５の裏面側には、硬質樹脂充填物４を充填し、さらに抜き表示部５を透光するバックライト６が配設される。
【００３６】
キートップ２は、積層体シート３として、透光性を有する基材シート１１が設けられ、絞り加工によってこれに所定の凹凸形状が付与されている。基材シート１１は、キートップ２の天面部に抜き表示部５の範囲が定められ、抜き表示部５の範囲を除いた区域には高明度着色層に該当する白色着色層１２が積層されている。
【００３７】
白色着色層１２の裏面には低明度着色層１３が積層されている。低明度着色層１３は、バックライト６を遮光する遮光機能と、低明度着色層１３の遮光色が表面に映らないようにする裏映り防止機能とを有し、遮光・裏映り防止層を構成している。低明度着色層１３には、裏映り防止層を構成し、第一の低明度色層に該当するグレー層１３ａと、遮光層を構成し、第二の低明度色層に該当する黒色層１３ｂとが含まれる。白色着色層１２の裏面には、グレー層１３ａが設けられ、グレー層１３ａの裏面に黒色層１３ｂが設けられている。
【００３８】
抜き表示部５の周縁では、低明度着色層１３の輪郭線が抜き表示部５の少し外側で囲んでいる。すなわち、抜き表示部５を囲むグレー層１３ａの輪郭線は、白色着色層１２の輪郭線より０．０５〜０．０６ｍｍほど少し外側にし、黒色層１３ｂの輪郭線はそのグレー層１３ａの輪郭線よりさらに外側にしている。
【００３９】
基材シート１１は、実質的に透明な合成樹脂で形成されている。基材シート１１は、透明な合成樹脂であれば、熱可塑性樹脂でもよく、熱硬化性樹脂でもよい。アロイでもよく、熱可塑性エラストマーでもよい。熱可塑性樹脂としては、例えば、アクリル樹脂、ポリカーボネート樹脂、ＰＶＣ樹脂、ＡＢＳ樹脂、ＰＰ樹脂、ＰＳ樹脂、ＰＥＴ樹脂、ＥＴＦＥ樹脂、ＦＥＰ樹脂、ポリシクロオレフイン樹脂などが挙げられる。熱硬化性樹脂としては、エポキシ樹脂、ウレタン樹脂、シリコーンゴムなどが挙げられる。これらは単独でも組み合わせてもよく、その中でも特に透明アクリル樹脂がもっとも好ましい。
【００４０】
白色着色層１２は、ベース樹脂中に白色顔料がフィラーとして混合された白色インクが、基材シート１１の裏に印刷されて形成されてある。ベース樹脂としては、例えば、アクリル樹脂、ＥＶＡ樹脂、ＰＶＣ樹脂、ウレタン樹脂、エポキシ樹脂、ポリエステル樹脂、ポリカーボネート樹脂などが挙げられる。その他にも、これらの樹脂を含む複合樹脂が挙げられる。フィラーとしては、酸化チタン又はその他の白色顔料が挙げられる。酸化チタンは、ルチル型でもよくアナターゼ型でもよい。
【００４１】
白色着色層１２には、少なくともフィラーの一部に、好ましくはパールマイカが混入される。パールマイカの使用量は、ベース樹脂も含めた白色インク全体中、２〜５０質量％、好ましくは１０〜４０質量％、加工条件等を考慮すると更に好ましくは１５〜３０質量％が望ましい。粒子径は５〜１００μｍがよい。使用量が２質量％未満では、十分な白色材としての隠蔽効果が十分ではない場合もあることが懸念される。５０質量％を越えることは実用的ではない。
【００４２】
印刷方法は、抜き表示部を的確に形成できる方法が選択されるとよい。具体的には、例えばスクリーン印刷、パッド印刷あるいはホットスタンプ等が挙げられる。白色着色層１２の厚みは、５μｍ以上、好ましくは８〜５０μｍが好ましい。
【００４３】
裏映り防止層に当たるグレー層１３ａは、ベース樹脂中にフィラーを混合し、これを白色着色層１２の裏に印刷してある。ベース樹脂としては、白色着色層１２の形成に用いることのできる樹脂と同様の樹脂が例示される。フィラーには、白色顔料と黒色顔料とを併用するとよい。この場合の白色顔料も、白色着色層１２の形成に用いることのできる白色顔料と同様の顔料を例示できる。黒色顔料としてはカーボンを用いればよい。白色顔料と黒色顔料との混合比は、色サンプルＮｏ．パントン（ｐａｎｔｏｎｅ）７５４３Ｃ（フランス、パントン社の基準）以上の明るい色に合わせるとよい。パントン７５４４Ｃでは、白色着色層の厚みが薄くなった場含、表面の白色地から裏側が透けて見え、表面の白色が変わってしまう危惧がある。
【００４４】
グレー層１３ａは、通常、例えばスクリーン印刷で印刷するとよい。厚みは８〜２０μｍが望ましい。
【００４５】
遮光層を構成する黒色層１３ｂは、例えば黒色ポリカーボネート系インクがグレー層１３ａの裏側に印刷されて形成されている。
【００４６】
上記の押釦スイッチ用カバー部材１の場合では、抜き表示部５は無色透明の例で考えられているが、必ずしも無色透明に限定する必要はない。デザイン状の都合によっては、有色透明化あるいは有色半透明化が必要とされる場合もある。その場合には、透明樹脂に特定の色の有機顔料又は染料を混合し、フィルム状に成形したシートを基材シート１１として使用すればよい。
【００４７】
黒色層１３ｂは、必ずしも必要ではない。バックライトとして比較的照度が低い光を用いれば、グレー層１３ａだけでバックライトに対する隠蔽性が備わる。その場合にはグレー層１３ａをもって裏映り防止層と遮光層を兼ね合わせた低明度着色層１３を構成させればよい。
【００４８】
以上のような構成の押釦スイッチ用カバー部材１の場合、表面側から差し込んだ光は透明な基材シート１１を透過する。抜き表示部５以外の領域では、差し込んだ光は白色着色層１２で反射して戻ってくる。反射光は白色着色層１２が呈する地色光として視認される。白色着色層１２を透過する光がないわけでない。それはグレー層１３ａに到達する。グレー層１３ａに到達する光量は、全体量の中のごくわずかである。グレー層１３ａに到達した光も、その多くは吸光されることなくグレー層１３ａで反射して戻ってくる。黒色層にまで到達して吸光される光はほとんどない。
【００４９】
表面側から抜き表示部５に差し込んだ光は、押釦スイッチ用カバー部材１の裏側方向に吸光される。
【００５０】
押釦スイッチ用カバー部材１の裏側には、前述のように、バックライト６が配設される。バックライト６が発する光の内、抜き表示部５に到達した光はそのまま抜き表示部５を透過し、外部から視認される。抜き表示部５以外の領域に到達した光は、黒色層１３ｂでそのほとんどが吸光される。黒色層１３ｂで吸光されずそこを透過した光は、グレー層１３ａで吸光される。黒色層１３ｂを透過し、かつグレー層１３ａも透過する光はほとんどない。
【００５１】
抜き表示部５では、バックライト６が発する光だけ視認される。抜き表示部５以外の領域では鮮明な白色だけが視認される。これによって押釦スイッチ用カバー部材１には鮮やかな色彩デザインが表現される。このように構成された押釦スイッチ用カバー部材１は、白色地が鮮明で装飾性に優れるとともに、照光時のキートップの視認性も優れる。また、ＹＡＧレーザではなく、スクリーン印刷法で十分着色加工できるため、コストも抑えることができる。価格の高価な金属を使用する必要もない。
【００５２】
白色着色層１２は、多層にするとさらに好ましい。図２は、白色着色層１２として、第一の高明度色層に当たる第一の白色層１２ａと、第二の高明度色層に当たる第二の白色層１２ｂとを設けた例である。押釦スイッチスイッチ用カバー部材１をキートップ２の天面部で示す。
【００５３】
基材シート１１の裏面に第一の白色層１２ａが形成され、第一の白色層１２ａの裏面に第二の白色層１２ｂが設けられてある。抜き表示部５の周縁では、抜き表示部５を囲み、第二の白色層１２ｂの輪郭線の方が、第一の白色層１２ａの輪郭線よりわずかに外側にし、第一の白色層１２ａの輪郭線が抜き表示部５の領域を規定している。
【００５４】
第二の白色層１２ｂの裏側には、裏映り防止層に当たるグレー層１３ａが積層され、その裏側には遮光層を構成する黒色層１３ｂが積層されている。
【００５５】
グレー層１３ａの輪郭線は抜き表示部５を囲んでおり、そのグレー層１３ａの輪郭線は、第一の白色層１２ａの輪郭線より外側にしている。しかし、第二の白色層１２ｂの輪郭線は更にそれより外側にしており、グレー層１３ａの輪郭部は、第二の白色層１２ｂの輪郭線の内側にはみ出している。また、黒色層１３ｂは、グレー層１３ａの輪郭線より外側になっている。
【００５６】
第一の白色層１２ａと第二の白色層１２ｂとは、いずれもベース樹脂中に白色顔料をフィラーとして混合し、これを基材シートの裏に印刷して形成してある。ベース樹脂としては、白色着色層１２のベース樹脂に使用可能な樹脂として前記した樹脂と同様のものをここでも例示できる。フィラーとしても、酸化チタン又はその他の白色顔料を挙げることができる。酸化チタンは、ルチル型でもよくアナターゼ型でもよい。なお、第一の白色層１２ａには、少なくともフィラーの一部にパールマイカを混入させるとよい。
【００５７】
この実施の形態では、遮光性に優れたパールマイカを第一の白色層に用いているので、表層部で遮光性機能を十分発揮させることができる。パールマイカは、その素材の長所と短所を生かし、抜き表示部周囲など、デザイン上で重要な箇所に限定的に使用すれば足りる。パールマイカと酸化チタンを使用する第一の白色層と、酸化チタンを使用する第二の白色層とを適切に組み合わせれば、両者の長所と短所を適切に補完させあわせることができる。
【００５８】
図３は、透明樹脂製の板片でキートップを形成してある押釦スイッチカバー部材１の例を示す。キートップを形成する透明樹脂製の板片をもって基材板１１ａとし、この板片をもってキートップ２が構成されている。基材板１１ａには積層体３が積層されている。
【００５９】
基材板１１ａの裏面には白色着色層１２が積層されている。白色着色層１２の裏には、裏映り防止層に当たるグレー層１３ａが積層され、その裏には遮光層を構成する黒色層１３ｂが積層されている。黒色層１３ｂを含めて形成されている積層体３は、シリコーンゴム製のカバー部材１４の上、押圧突起部１４ａの直上に接着層１５を介して搭載されている。
【００６０】
基材板１１ａは、上記の基材シート１１と同様の素材を用い、硬質に形成してある。その他は基材シート１１を使用している上記の例と同様である。白色着色層１２は、基材シート１１に形成されている白色着色層１２と同様の素材が使用されている。グレー層１３ａと黒色層１３ｂも同様である。
【実施例１】
【００６１】
次のようにして高明度表示シートを形成し、その高明度表示シートを絞り加工し、図２に天面部で示した押釦スイッチカバー部材を形成した。
【００６２】
厚さ１２５μｍの透明なポリカーボネートフィルムを基材シート１１とし、その裏側に白色インクをスクリーン印刷し、第一の白色層１２ａを形成した。白色インクは、ポリカーボネート樹脂にフィラーとしてパールマイカを２０質量％混合したものを用いた。ポリカーボネートフィルム１１上には、キートップ２の天面部とする領域を定め、さらにその天面部範囲内に抜き表示部５を位置決めした。第一の白色層１２ａの印刷は、天面部範囲と天面部の周囲の湾曲変形範囲とした。ただし、その中でも、抜き表示部５の領域範囲は印刷範囲から除外した。
【００６３】
印刷された第一の白色層１２ａの裏に、更に第二の白色層１２ｂを白色インクで印刷した。第二の白色層１２ａの形成には、パールマイカに代えて酸化チタンをフィラーとした白色塗料を用いた。印刷範囲は、第一の白色層を形成した側の基材シート１１全面としたが、抜き表示部５は印刷範囲から除外した。また、第二の白色層１２ｂを形成すべきではない箇所には目印を設け、その目印箇所も印刷範囲から除外した。
【００６４】
抜き表示部の５周縁では、抜き表示部５を囲み、第二の白色層１２ｂの輪郭線を、第一の白色層１２ａの輪郭線より０．１５ｍｍほど外側にさせた。印刷層の厚みは１０μｍとした。
【００６５】
抜き表示部５には、透明なスモークグレイのポリカーボネート系インクをスクリーン印刷し、図示外の有色透明層を形成した。印刷範囲は、抜き表示部５全面と、抜き表示部５からはみ出た外周０．４ｍｍ幅の範囲とした。印刷層の厚みは１０μｍとし、これによって抜き表示部５を着色透明化した。
【００６６】
第二の白色層１２ｂの裏には裏映り防止層としてグレー層１３ａを形成した。グレー層１３ａの形成は、グレー塗料を調合してこれを印刷して行った。グレー塗料は、酸化チタンとカーボンとを混合してパントン７５４３Ｃに調色した混合顔料を、ポリカーボネート系樹脂液にフィラーとして混合したものを用いた。グレー層１３ａは、１５μｍの厚みに印刷した。印刷範囲は、基本的には第二の白色層１２ｂを形成してある全範囲とし、抜き表示部５周縁では、スモークグレイの塗布領域と０．１〜０．１５ｍｍ幅でオーバーラップさせた。
【００６７】
グレー層１３ａの裏には、バックライト遮光用の黒色層１３ａを形成した。黒色層１３ａの印刷範囲は、基本的にはグレー層１３ｂを形成してある全範囲とし、抜き表示部周縁では、グレー層１３ａの輪郭線から０．１５ｍｍほど印刷範囲の輪郭線を外側にした。黒色層１３ａの厚みは８μｍとした。
【００６８】
このように黒色層１３ａを積層印刷した基材シート１１は、次いで金型を用い、絞り加工によって凹凸を設け、キートップ形状を付与した。絞り加工によって形成された凹部には、射出成形によってポリカーボネート樹脂を充填して硬化させ、押釦スイッチ用カバー部材１を得た。
【００６９】
このようにして作製された押釦スイッチ用カバー部材１は、キートップ２表面に裏映りがない鮮やかな白色外観が備わり、バックライトと組み合わせて照光した時は、抜き表示５がはっきりとした形状を呈した。外観的に優れた押釦スイッチ用カバー部材１がスクリーン印刷法という安価な方法で得られた。
【実施例２】
【００７０】
透明ポリカーボネート樹脂により、厚み２ｍｍの板片を射出成形し、これを基材板１１ａでなるキートップ２とし、図３で示すような押釦スイッチカバー部材１を形成した。
【００７１】
基材板１１ａでなるキートップ２の裏面に、抜き表示部５の範囲を定め、白色着色層１２、グレー層１３ａ、黒色層１３ｂを設けて積層体３を形成した。白色着色層１２は、フィラーとしてパールマイカを使用した。
【００７２】
押圧部１４ａが設けられたシリコーンゴム製カバー材１４を用意し、これに積層体３を瞬間接着剤１５で貼り付けた。シリコーンゴム製カバー材１４上には、黒色層１３ｂを接着させた。これによって、押釦スイッチ用カバー部材１を作製した。
【００７３】
得られた押釦スイッチ用カバー部材１では、基材板１１ａでなるキートップ２に奥行き感がある表示部５と裏映りのない鮮明な白色領域が視認された。バックライトと組み合わせて照光した際には、抜き表示部５が鮮明に表出された。外観的に優れた押釦スイッチ用カバー部材１が、スクリーン印刷法という安価な方法で得られた。
【図面の簡単な説明】
【００７４】
【図１】この発明の実施の形態に係る照光式押釦スイッチ用カバー部材のキートップ部の一例を示す断面図である。
【図２】同実施の形態に係る白色着色層を多層に設けたキートップ部の一例を示す断面図である。
【図３】透明樹脂製の板片でキートップを形成してある、この発明の実施の形態に係る押釦スイッチ用カバー部材の例を示す断面図である。
【符号の説明】
【００７５】
１  押釦スイッチ用カバー部材
２  キートップ
３  積層体シート
４  硬質樹脂充填物
５  抜き表示部
６  バックライト
１１  基材シート
１２  白色着色層
１２ａ  第一の白色層
１２ｂ  第二の白色層
１３  低明度着色層
１３ａ  グレー層（裏映り防止層）
１３ｂ  黒色層（遮光層）
【図１】
2005235415.tif 000003
【図２】
2005235415.tif 000004
【図３】
2005235415.tif 000005